(57)【要約】  【課題】  掃除動作中に吸塵性能に影響を及ぼすことなく掃除機本体を浮揚支持し、滑らかな取り回しにより良好な使い勝手が得られると共に、非掃除動作中の掃除機本体の移動操作をも容易に行わせることができる電気掃除機を提供する。  【解決手段】  塵埃吸引用の吸気ファン10が搭載された掃除機本体１を、吸気ファン10からの排気の吹き付けにより掃除面Ａに浮揚支持する構成において、掃除機本体１の下面に上下動自在に連結され、掃除面Ａとの対向面に排気吹き出し用にお排気孔22，22…が開設された底板２と、この底板２と掃除機本体１との間に介装され、吸気ファン10からの排気を底板２に導く伸縮自在の導風管５と、底板２の一部に支持され、吸気ファン10の吸込側に接続された吸塵ノズル３と、掃除機本体１の下面に突設され、底板２の上動時に掃除機本体１を掃除面Ａ上に支持する車輪６，６…とを備える構成とする。【選択図】      図１
2006026187.tif 000002
【特許請求の範囲】
【請求項１】
塵埃吸引用の吸気を発生する吸気ファンが搭載された掃除機本体を、前記吸気ファンからの排気の吹き付けにより掃除面に浮揚支持する構成としてある電気掃除機において、
前記掃除機本体の下面に上下動自在に連結され、掃除面との対向面に前記排気の吹き出し口が開設された底板と、
該底板と前記掃除機本体との間に介装され、前記吸気ファンからの排気を前記底板に導く伸縮自在の導風管と、
前記底板の一部に支持され、前記吸気ファンの吸込側に接続された吸塵ノズルと、
前記掃除機本体の下面に突設され、前記底板の上動時に前記掃除機本体を掃除面上に支持する車輪と
を備えることを特徴とする電気掃除機。
【請求項２】
前記導風管は、前記排気の通断に応じて伸縮し、前記底板を上下動させるアクチュエータを兼ねる請求項１記載の電気掃除機。
【請求項３】
前記導風管は、前記底板と前記掃除機本体との間に複数配してある請求項２記載の電気掃除機。
【請求項４】
前記導風管は、蛇腹形の周面を有する蛇腹管である請求項２又は請求項３に記載の電気掃除機。
【請求項５】
前記吹き出し口は、前記底板の掃除面との対向面に複数形成してある請求項１乃至請求項４のいずれか１つに記載の電気掃除機。
【請求項６】
前記車輪は、前記掃除機本体の下面に複数突設してある請求項１乃至請求項５のいずれか１つに記載の電気掃除機。
【請求項７】
前記吸塵ノズルは、前記底板に対して上下方向への変位可能に支持してある請求項１乃至請求項６のいずれか１つに記載の電気掃除機。
【発明の詳細な説明】
【技術分野】
【０００１】
本発明は、塵埃吸引用の吸気ファンが搭載された掃除機本体を、該吸気ファンからの排気の作用により掃除面上に浮揚支持する構成とした電気掃除機に関する。
【背景技術】
【０００２】
吸気ファンの吸込側に発生する負圧を利用して塵埃を吸引し、吸気路の中途に設けた集塵室に捕集する電気掃除機は、駆動用のモータを含めた吸気ファンが重量物であることから、一般的には、吸気ファンを搭載する掃除機本体を移動用の車輪により支持し、該掃除機本体に接続され、吸気ファンの吸込側に連通する延長ホースの先端に吸塵ノズルを取付けて、該延長ホースの中途に設けた把手を把持して吸塵ノズルを操作し、該吸塵ノズルに開設された吸塵口を掃除面に押し付けつつ滑らせて、該掃除面上の塵埃を吸引せしめるように構成されている。
【０００３】
このような電気掃除機においては、掃除面上での車輪の転動を伴って、吸塵ノズルの前述した操作に追随移動する掃除機本体の取り回しが難しく、使い勝手が悪いという問題がある。
【０００４】
この問題を解決する一手段として、吸気ファンを搭載する掃除機本体を掃除面上に浮揚支持し、浮揚状態にある掃除機本体を一部に取り付けた操作杆の押し引きにより移動操作する構成とした電気掃除機が提案されている（例えば、特許文献１参照）。
【０００５】
この電気掃除機は、掃除面に対向する掃除機本体の下面に、吸気ファンの吸込側に連なる吸塵口を開設すると共に、吸気ファンの吐出側に連なる排気口を開設してあり、吸気ファンの駆動により吸込側に発生する負圧により前記吸塵口から塵埃を吸引捕集する一方、吐出側に発生する正圧の排気を前記排気口を介して掃除面に吹き付け、この排気の作用により掃除機本体を掃除面上に浮揚支持する構成となっている。
【０００６】
この構成によれば、掃除面上に浮揚支持された掃除機本体は、わずかの力を把手に加えることにより、掃除面上の種々の方向に抵抗なく移動させることができ、取り回しが容易化されて使い勝手の向上を図ることができる。
【特許文献１】特許第３４６８４０１号公報
【発明の開示】
【発明が解決しようとする課題】
【０００７】
しかしながら、特許文献１に開示された電気掃除機においては、掃除機本体の下面に吸塵口と排気口とが並設されており、排気口から吹き出される排気が吸塵口への吸塵を阻害する虞れがあり、また排気の作用により掃除機本体が掃除面から浮揚するとき、該掃除面から前記吸塵口も離反するため、該吸塵口への塵埃の吸引力が低下し、所望の吸塵効率が得難いという問題がある。
【０００８】
また、吸気ファンの非駆動時には、排気による浮揚力が発生しないため、掃除機本体の全体が掃除面に接する状態となり、この状態での移動操作が困難となり、無理な移動操作により掃除面を傷つける虞れがある。
【０００９】
更に、掃除機本体の内部に吸気ファン、吸気路及び排気路と共に、吸気路の中途の集塵室も一体に設けられているため、排気の作用により浮揚する掃除機本体が大型化し、掃除面上での操作に支障を来す場合がある。
【００１０】
本発明は斯かる事情に鑑みてなされたものであり、掃除動作中に吸塵性能に影響を及ぼすことなく掃除機本体を浮揚支持し、滑らかな取り回しにより良好な使い勝手が得られると共に、非掃除動作中の掃除機本体の移動操作をも容易に行わせることが可能である電気掃除機を提供することを目的とする。
【課題を解決するための手段】
【００１１】
本発明に係る電気掃除機は、塵埃吸引用の吸気を発生する吸気ファンが搭載された掃除機本体を、前記吸気ファンからの排気の吹き付けにより掃除面に浮揚支持する構成としてある電気掃除機において、前記掃除機本体の下面に上下動自在に連結され、掃除面との対向面に前記排気の吹き出し口が開設された底板と、該底板と前記掃除機本体との間に介装され、前記吸気ファンからの排気を前記底板に導く伸縮自在の導風管と、前記底板の一部に支持され、前記吸気ファンの吸込側に接続された吸塵ノズルと、前記掃除機本体の下面に突設され、前記底板の上動時に前記掃除機本体を掃除面上に支持する車輪とを備えることを特徴とする。
【００１２】
本発明においては、掃除機本体に伸縮自在の導風管により連結された底板に排気の吹き出し口を設け、この底板に吸塵ノズルを支持した構成とし、吸気ファンの駆動により排気が生じる掃除動作中においては、この排気を、下動させた底板の吹き出し口から掃除面に吹き付け、該底板を介して掃除機本体を、吸塵ノズルによる吸塵性能に影響を及ぼすことなく浮揚支持し、滑らかな取り回しを実現する。また掃除機本体の下面に車輪を突設した構成とし、吸気ファンが駆動されない掃除動作中以外においては、底板の上動により掃除面に転接する車輪により掃除機本体を支持し、この車輪の転動を伴って掃除機本体の移動を容易に行わせて、掃除面の傷つきを未然に防止する。
【００１３】
また本発明に係る電気掃除機は、前記導風管が、前記排気の通断に応じて伸縮し、前記底板を上下動させるアクチュエータを兼ねることを特徴とする。
【００１４】
この発明においては、内部を通気する排気の作用により導風管を伸縮させ、この伸縮を底板の上下動に利用して、掃除動作中の掃除機本体の浮揚を専用のアクチュエータを用いることなく実現する。
【００１５】
また本発明に係る電気掃除機は、前記導風管が、前記底板と前記掃除機本体との間に複数配してあることを特徴とし、また前記導風管が、蛇腹形の周面を有する蛇腹管であることを特徴とする。
【００１６】
この発明においては、アクチュエータを兼ねる導風管を複数配し、底板を介して掃除機本体を安定して支持し、更に、内部の通気の作用により伸長する導風管を、蛇腹管の採用により簡易に実現する。
【００１７】
また本発明に係る電気掃除機は、前記吹き出し口が、前記底板の掃除面との対向面に複数形成してあることを特徴とし、また前記車輪が、前記掃除機本体の下面に複数突設してあることを特徴とする。
【００１８】
この発明においては、複数の吹き出し口から吹き出される排気により、掃除動作中の掃除機本体の浮揚支持を安定して行わせ、また複数の車輪により、非掃除動作中の掃除機本体の支持を安定して行わせる。
【００１９】
更に本発明に係る電気掃除機は、前記吸塵ノズルが、前記底板に対して上下方向への変位可能に支持してあることを特徴とする。
【００２０】
本発明においては、排気の吹き付けにより掃除面上に浮揚して移動する底板に対して吸塵ノズルが上下方向に変位し、掃除面に近接した吸塵口の正しい対向状態を維持し、吸塵性能の低下を防止する。
【発明の効果】
【００２１】
本発明に係る電気掃除機においては、掃除機本体に上下動自在に接続された底板に排気を導き、該底板に設けた吹き出し口から掃除面に排気を吹き付けて掃除機本体を浮揚支持し、底板の一部に吸塵ノズルを支持したから、掃除機本体の浮揚を吸塵ノズルの吸塵性能に影響を与えずに実現でき、掃除動作中における高い吸塵性能と良好な操作性とを併せて達成でき、また、掃除機本体に車輪を突設し、底板からの排気の吹き出しが生じない非掃除動作中に車輪の転動による移動を可能としたから、この移動操作が容易となり、無理な移動による掃除面の傷付きを未然に防止することができる。
【００２２】
また底板に排気を導く導風管の伸縮を底板の上下動に利用したから、専用のアクチュエータが不要な簡素な構成により掃除機本体を浮揚支持することができ、また前記導風管を複数備えたから、安定した浮揚支持が可能となり、更に前記導風管を蛇腹管としたから、アクチュエータの兼用を簡易に実現することができる。
【００２３】
また底板に排気の吹き出し口を複数形成したから、これらの吹き出し口からの排気により掃除動作中の掃除機本体を安定して浮揚支持することができ、また掃除機本体から突設された車輪を複数としたから、これらの車輪による非掃除動作中の掃除機本体の支持も安定してなされる。
【００２４】
更に、底板に対して上下変位可能に吸塵ノズルを支持したから、該吸塵ノズルが底板の上下変位の如何に拘らず掃除面に対して対向状態を維持し、良好な吸塵性能が得られるようになる等、本発明は優れた効果を奏する。
【発明を実施するための最良の形態】
【００２５】
以下本発明をその実施の形態を示す図面に基づいて詳述する。図１は、本発明に係る電気掃除機の第１の実施の形態を示す側断面図であり、本図に示す電気掃除機は、塵埃吸引用の吸気を発生する吸気ファン10を搭載する掃除機本体１と、該掃除機本体１の下側に連結された底板２と、底板２の一側（前側）に支持された吸塵ノズル３と、掃除機本体１の後側に取り付けた操作杆４とを備えている。
【００２６】
掃除機本体１は、平板状をなす基台11の上面に固設されたファンハウジング12の内部を吸込室13と吐出室14とに分割し、吐出室14内に固定された前記吸気ファン10の吸塵口を吸込室13内に開口させて構成されている。吸気ファン10は、一体化された駆動用のモータ15への給電により回転駆動される遠心ファンであり、この駆動により吸込室13から吸気ファン10に連続的な吸気がなされ、該吸気ファン10の内部にて昇圧されて外周に吐出され、吐出室14内に排出されるようになしてある。
【００２７】
掃除機本体１の基台11は、図示の如く全面に亘って中空とされ、天面の該当位置に貫通形成された連通孔によりファンハウジング12の内部の吐出室14に連通された排気室16が設けてある。この排気室16の底面には、略中央部を内外に貫通する連通孔が形成されており、この連通孔の開口位置の外側には導風管５が固設してあり、下方に延びる導風管５の他端に前記底板２が連結されている。
【００２８】
図示の如く導風管５は、蛇腹形の周面を有し、上下に伸縮可能な蛇腹管として構成されており、図示の短縮状態にあるとき、底板２を引き上げ可能な弾性を有している。このように導風管５により支持された底板２の内側は、前記基台11と同様に全面に亘って中空とされた排気室20が設けてあり、この排気室20は、天面の該当位置に貫通形成された小径の連通孔21により導風管５の内側に連通されている。また排気室20の底面には、排気の吹き出し口としての複数の排気孔22，22…が、全面に亘って適宜の配置にて貫通形成されている。図２は、底板２の下面の平面図であり、排気孔22，22…の配置例が示されている。
【００２９】
このように導風管５により支えられた底板２の前部には、前記吸塵ノズル３が取付けられている。吸塵ノズル３は、前部下面に吸塵口が開設された公知の構成を有し、後縁に沿って設けた係合爪30を底板２の前縁に沿う係合縁23に係合させ、上下方向に所定のストローク内での相対変位が可能に支持されている。また吸塵ノズル３は、吸塵口の後側に沿って架設された支持ローラ31を備えている。この支持ローラ31は、導風管５の後述する伸長により底板２が押し下げられたとき、掃除対象となる掃除面Ａに転接して吸塵ノズル３を支持する作用をなす。なお前記図２には、吸塵ノズル３の図示を省略してある。
【００３０】
また掃除機本体１の基台11の下面には、前部の左右に２つの車輪６，６が、また後部の中央に１つの車輪６が、下方に向けて突設された各別のブラケット60，60，60の先端に水平軸回りでの回転可能に取付けられている。これらの車輪６，６，６は、導風管５の短縮により底板２が引き上げられた図１に示す状態にあるとき、掃除面Ａに転接して掃除機本体１を支持する作用をなす。前記図２には、３つの車輪６，６，６の平面的な配置が示されており、これらは、底板２との干渉を避けて配置されている。
【００３１】
更に掃除機本体１の基台11の上面には、ファンハウジング12の後側に沿って吸込風路管40が横架されており、前記操作杆４は、この吸込風路管40を枢軸とする揺動が可能に取付けられている。図３は、操作杆４の取付け状態を示す正面断面図、図４は、図１のIV−IV線による平面断面図である。操作杆４の枢軸となる吸込風路管40の接続態様が示されている。
【００３２】
図３に示す如く操作杆４の枢軸となる吸込風路管40は、基台11の幅方向両側に固設された第１，第２の吸込路41，42に両端を嵌め込み支持されている。この吸込風路管40の内部は、中央に設けた隔壁43により２室に分離されている。操作杆４の下部は、中空の管体として構成された第１、第２の連通管44，45に分岐されており、これら第１，第２の連通管44，45の下端は、吸込風路管40の周面への嵌め込み固定により、前記隔壁43により分離された２室を介して第１、第２の吸込路41，42に連通されている。
【００３３】
操作杆４の中途部には、図１及び図３に示す如く、サイクロン集塵器７が搭載されている。このサイクロン集塵器７は、集塵室70と、該集塵室70の上部に連設された排気室71とを備える公知の構成を有しており、前記第１の連通管44の上端は、集塵室70の周面に接線方向に沿って嵌め込み固定され、前記第２の連通管45の上端は、排気室71の周面に嵌め込み固定されている。この構成によりサイクロン集塵器７においては、第１の連通管44から集塵室70内に導入される吸気によりサイクロン気流が発生し、この吸気中に含まれる塵埃が遠心力の作用により分離されて集塵室70の底部に捕集される一方、塵埃が分離された清浄な空気が排気室71に導出され、第２の連通管45内に送り出される。
【００３４】
図３に示す如く操作杆４の上端部には、掃除機本体１の後述する押し引き操作のための把手46が固定されている。この把手46を把持した使用者は、吸込風路管40を枢軸とする揺動により操作杆４の傾倒角度を調整し、把手46に押し引き力を加えることにより掃除機本体１を前後及び左右に移動させることができる。
【００３５】
図４に示す如く、基台11の幅方向一側に固設された第１の吸込路41は．ファンハウジング12の同側外面に沿って前方に延長され、前記吸塵ノズル３に連結されている。同じく基台11の幅方向他側に固設された第２の吸込路42は、ファンハウジング12の同側外面に沿って前方に延長され、ファンハウジング12の内部に形成された吸込室13に連結されている。      
【００３６】
以上の如く構成された本発明に係る電気掃除機は、図１に示す如く、掃除機本体１を掃除対象となる掃除面Ａ上に、基台11の下方に突設された車輪６，６，６により支えて載置し、図示しない運転スイッチのオン操作により吸気ファン10を駆動して使用される。
【００３７】
吸気ファン10が駆動された場合、前述の如く、ファンハウジング12内部一側の吸込室13から連続的な吸気がなされ、吐出室14内に排出されるようになしてある。吸込室13は、第２の吸込路42、吸込風路管40の一側半部及び第２の連通管45を介してサイクロン集塵器７に連通しており、またサイクロン集塵器７は、第１の連通管44、吸込風路管40の他側半部及び第１の吸込路41を介して吸塵ノズル３に連通している。
【００３８】
従って、吸気ファン10が駆動された場合、吸塵ノズル３の前部下面に開口する吸塵口への吸気が発生し、この吸気は、第１の吸込路41、吸込風路管40及び第１の連通管44を経てサイクロン集塵器７に導入され、前述の如く発生するサイクロン気流の作用により塵埃を除去された後、第２の連通管45、吸込風路管40及び第２の吸込路42を経て吸込室13に導入される。このような吸気の流れは、図１、３、４中に白抜矢符により示してある。
【００３９】
このように吸込室13に導入される吸気は、吸気ファン10に連続的に吸い込まれ、該吸気ファン10内にて昇圧されて吐出室14内に排出される。ここで吐出室14は、基台11の内側の排気室16に連通しており、この排気室16は、導風管５を介して底板２の内側の排気室20に連通している。従って、吐出室14に排出される正圧の排気は、排気室16及び導風管５を経て排気室20内に導入され、該排気室20の底面に貫通形成された複数の排気孔22，22…を経て外部に排出される。このような排気の流れは、図１中に矢符により示してある。
【００４０】
このような排気の流れにおいて、導風管５から排気室20への排気の流入は、排気室20の天面に貫通形成された連通孔21を経て生じる。ここで連通孔21は、前述の如く、導風管５の内径に対して十分に小さい直径を有しているため、導風管５の内圧は、小径の連通孔21の通気に伴う抵抗により高圧となり、前述の如く蛇腹管として構成された導風管５は、このように発生する内圧の作用により軸長方向に伸長することとなり、この伸長により導風管５により支持された底板２が下方に押し下げられる。
【００４１】
図５は、図１に示す電気掃除機の掃除動作中の状態を示す側断面図である。本図に示す如く、導風管５の伸長により押し下げられた底板２は、下方に対向する掃除面Ａに押し付けられ、この押し付け力の反力により押し上げられる掃除機本体１は、車輪６，６，６を掃除面Ａから離し、底板２を介して掃除面Ａ上に支えられる。一方、底板２の下面には、複数の排気孔22，22…から排気が噴出しており、底板２と掃除面Ａとの間には、各排気孔22，22…から噴出される排気による空気層が形成される。従って、底板２及びこれに支持された掃除機本体１は、吸気ファン10からの排気の作用により掃除面Ａ上に浮揚せしめられ、このように浮揚した掃除機本体１は、上端の把手46を把持した使用者による操作杆４の押し引き操作により、前後及び左右に抵抗なく移動させることができる。
【００４２】
なお、以上の実施の形態においては、図２に示す如く、底板２に多数の排気孔22，22…が設けられ、これらの夫々から排気が噴出されるから、掃除面Ａ上での底板２の浮揚姿勢が安定し、この浮揚下での掃除機本体１の移動を滑らかに行わせることができるが、排気孔22，22…の数及び配置は、図２に示す数及び配置に限らず適宜に選定することが可能である。
【００４３】
以上の如き底板２の押し下げにより、該底板２の前部に取付けられた吸塵ノズル３も掃除面Ａ上に降下し、図５に示す如く、吸塵口の後側に架設された支持ローラ31により掃除面Ａ上に支えられ、該支持ローラ31の転動を伴って底板２及び掃除機本体１の前述した移動に追随移動する。この移動の間、掃除面Ａ上の塵埃は、吸塵ノズル３の吸塵口内に発生する負圧の作用により吸引され、前述した吸気の流れにより搬送されて、サイクロン集塵器７の集塵室70内に捕集される。前述の如く吸塵ノズル３は、底板２に対して上下方向に相対変位可能に支持されており、掃除面Ａに支持ローラ31を転接させた支持状態を、底板２の浮揚姿勢の変化に拘らず保つことができ、掃除面Ａに近接する吸塵口からの吸塵を良好に行わせることができる。
【００４４】
以上の如く本発明に係る電気掃除機においては、吸気ファン10を搭載する掃除機本体１が、前記吸気ファン10の駆動により発生する排気の作用により掃除面Ａ上に浮揚せしめられるから、操作杆４の上端の把手46を把持した使用者は、掃除面Ａ上の掃除機本体１を滑らかに抵抗なく押し引き移動させることができ、軽快な操作感にて掃除を実施することが可能であり、使い勝手の向上を図ることができる。
【００４５】
また、集塵部としてのサイクロン集塵器７を操作杆４の中途に設けたから、掃除機本体１を、吸気室13及び排気室14を含めて吸気ファン10の搭載が可能な小サイズに構成することができ、小型化による操作性の向上を図ることができる。
【００４６】
また、掃除機本体１に支持用の車輪６，６，６を突設したから、排気による前述した浮揚力が発生しない吸気ファン10の非駆動時においても、前記車輪６，６，６によって掃除機本体１が支持され、掃除面Ａを傷つけることなく掃除機本体１を移動させることが可能となる。一方、吸気ファン10からの排気の吹き出し口（排気孔22，22…）を、伸縮自在な導風管５を介して連結された底板２に設け、この底板２の上下動により車輪６，６，６を掃除面Ａから離反させ、前記排気孔22，22…から噴出する排気により掃除機本体１を浮揚支持する構成としたから、車輪６，６，６の存在の如何に拘らず安定した浮揚状態を実現することができる。
【００４７】
更に、排気の通気に伴う導風管５の伸長を利用して底板２を上下動させる構成としたから、上下動のための専用のアクチュエータが不要であり、構成の簡素化を図ることができる。なお、底板２を上下動させるために、空圧シリンダ等の専用のアクチュエータを備える構成も本発明の技術範囲に含まれることは言うまでもない。
【００４８】
図６は、本発明に係る電気掃除機の第２の実施の形態を示す側断面図であり、本図に示す電気掃除機においては、掃除機本体１と底板２との間に、蛇腹管として構成された２つの導風管５，５が介装されており、これらの導風管５，５により吸気ファン10からの排気を底板２内部の排気室20に導き、該排気室20の底面に形成された排気孔22，22…から噴出させる構成となっている。
【００４９】
導風管５，５から排気室20への排気の流入は、排気室20の天面の該当位置に貫通形成された小径の連通孔21，21を経て生じるようになしてあり、導風管５，５は、各別の連通孔21，21の通気に伴う抵抗により発生する内圧の作用により伸長し、底板２を下方に押し下げるアクチュエータとしての作用もなす。他の部分の構成は、図１に示す第１の実施の形態と同様であり、対応する構成部材に図１と同一の参照符号を付して構成及び動作の説明を省略する。
【００５０】
この実施の形態においては、底板２を介して浮揚する掃除機本体１の重量を２つの導風管５，５により分担し、掃除機本体１の浮揚姿勢を安定化することができると共に、底板２の上下動用のアクチュエータを兼ねる導風管５，５の強度要求を下げることができる。なお、導風管５の数は、掃除機本体１と底板２との間に介装可能な範囲において３つ以上とすることも可能である。
【図面の簡単な説明】
【００５１】
【図１】本発明に係る電気掃除機の第１の実施の形態を示す側断面図である。
【図２】底板の下面の平面図である。
【図３】操作杆の取付け状態を示す正面断面図である。
【図４】図１のIV−IV線による平面断面図である。
【図５】図１に示す電気掃除機の掃除動作中の状態を示す側断面図である。
【図６】本発明に係る電気掃除機の第２の実施の形態を示す側断面図である。
【符号の説明】
【００５２】
１    掃除機本体
２    底板
３    吸塵ノズル
５    導風管
６    車輪
10    吸気ファン
Ａ    掃除面
22    排気孔（排気の吹き出し口）
【図１】
2006026187.tif 000003
【図２】
2006026187.tif 000004
【図３】
2006026187.tif 000005
【図４】
2006026187.tif 000006
【図５】
2006026187.tif 000007
【図６】
2006026187.tif 000008